(57)【要約】【課題】非接触認識装置（ＲＦＩＤ／タグ）を備える複数シートを重ねた状態で有する積層シート状製品で所望の（特に最上層の）シートのタグのみに対して読み書きを行う。【解決手段】複数シートを積層した積層シート状製品である。２以上のシートの各々に、タグ本体部とアンテナを含むタグを備え、積層状態においてタグのうち１つのタグ以外のタグのアンテナを短絡させる短絡手段を備える。短絡手段は、隣接するシートに設けられかつ積層状態においてアンテナに当接する導電体である。アンテナをシートの上面側に、導電体を上側に隣接するシートの下面側に夫々設ける。タグは、タグ本体部とアンテナとを接続しかつシート表面において間隔を隔てて延在する２本の線路部を有し、導電体は積層状態において２本の線路部に跨り両線路部を電気的に接続する。【選択図】図１
2006185372.tif 000002
【特許請求の範囲】
【請求項１】
複数のシートを積層してなる積層シート状製品であって、
前記複数のシートのうちの２以上のシートの各々に、情報を記憶可能な記憶部および通信回路を含む非接触認識装置本体部とアンテナ配線とを含む非接触認識装置を備えるとともに、
積層状態において前記非接触認識装置のうち１つの非接触認識装置以外の非接触認識装置のアンテナ配線を短絡させるアンテナ短絡手段を備えた
ことを特徴とする積層シート状製品。
【請求項２】
前記アンテナ短絡手段は、隣接するシートに備えられかつ前記積層状態においてアンテナ配線に当接する導電体である
ことを特徴とする請求項１に記載の積層シート状製品。
【請求項３】
前記アンテナ配線は、シートの上面側に備えられ、
前記導電体は、上側に隣接するシートの下面側に備えられている
ことを特徴とする請求項２に記載の積層シート状製品。
【請求項４】
前記非接触認識装置は、前記非接触認識装置本体部と前記アンテナ配線とを電気的に接続しかつシート表面において間隔を隔てて延在する２本の線路部を有し、
前記導電体は、前記積層状態において前記２本の線路部に跨り両線路部を電気的に接続するように配置されている
ことを特徴とする請求項２または３に記載の積層シート状製品。
【請求項５】
前記２本の線路部の表面の高さを、略同一に揃えた
ことを特徴とする請求項４に記載の積層シート状製品。
【発明の詳細な説明】
【技術分野】
【０００１】
本発明は、非接触認識装置を備えた積層シート状製品に係り、特に宅配便の配送伝票のような複数枚のシートが重ねられた積層製品の各シートにＩＣタグを取り付け、これらを個別に読み書きできるようにする技術に関する。
【背景技術】
【０００２】
ＩＣ技術の進歩により、ＲＦＩＤ（Radio Frequency Identification／電波方式認識）あるいはＩＣタグと称される、近接無線交信を使用する非接触型の認識装置が開発され近年利用されつつある。かかる非接触認識装置（以下、単にタグと称することもある）は、一般に、通信制御回路とメモリを内蔵するＩＣチップと、アンテナとを備えており、ホスト装置（リーダライタ）と至近距離で無線交信を行うことにより、メモリ内の情報を読み出しあるいはメモリ内に情報を書き込むことが可能である。
【０００３】
非接触認識装置の利用形態としては、例えばチケットにタグを取り付けて正規のチケットか否かの判定を行ったり（下記特許文献１）、書類にタグを配して管理を行う（下記特許文献２）提案がなされている。また、本のサプライチェーン上における様々な情報のハンドリングを可能とするために書籍にタグを付け（下記特許文献３）、あるいは飲食物の包装にタグを配するものがある（下記特許文献４）。さらに、宅配貨物や郵便小包の配送伝票にタグを付けることにより、配送管理を行う提案がなされている（下記特許文献５）。
【０００４】
【特許文献１】特開２０００−３２６６７２号公報
【特許文献２】特開２００２−１２０４７５号公報
【特許文献３】特開２００２−３３７４８２号公報
【特許文献４】特開２００３−１５５０６２号公報
【特許文献５】特開２００３−２２１１２６号公報
【発明の開示】
【発明が解決しようとする課題】
【０００５】
ところで、従来の非接触認識装置の利用形態は、単体の書類やシートにタグを取り付けて情報管理を行うに留まるもので、宅配荷物や郵便小包に使用される配送伝票のような複数枚のシート（帳票）を重ねた伝票や書類について各シート固有の情報を読み書きして各シートを個別に管理するようなこと、言い換えれば、荷物配送の各段階（例えば荷物の受付、受付地区の集配所での荷扱い、運送、配送先地区の集配所での荷扱い、届け先での配送荷物の受領）で各段階に固有の情報を読み書きすることによって、時系列的に配送過程をよりきめ細かく管理することは出来ない。
【０００６】
なぜなら、各帳票にタグを取り付けた場合、光学的にデータを読み取るバーコード等とは異なり非接触認識装置では、下層の帳票に設けたタグとも通信が可能で、たとえタグ位置（アンテナ位置）を多少ずらしたとしても、所望のタグとだけ選択的に通信（データの授受）を行うことは出来ないからである。
【０００７】
配送管理に係る上記特許文献５の発明も、特許文献１から４と同様に、伝票に単純にタグを付けて伝票全体に固有の情報を記憶させ、これを利用するに過ぎない。したがって、配送の各段階（各帳票）に固有の情報を読み書きして利用できるものではなく、例えば各帳票にタグを設けて特定の（例えば最上層の）帳票に対してだけ情報を読み書きするようなことは出来ない。
【０００８】
一方、各シート固有の情報管理までは必要としない利用形態であっても、取扱い過程（例えば配送段階）でタグが付されたシートから分離されたシートについては、タグに格納されている情報（電子データ）を最早得ることは出来ず、これを利用することが出来ない不便がある。
【０００９】
したがって、本発明の目的は、非接触認識装置を備える複数のシートを重ねた状態で有する積層シート状製品において所望の（特に最上層の）シートのタグのみに対して読み書きを可能とする点にある。
【課題を解決するための手段】
【００１０】
前記目的を達成して課題を解決するため、本発明に係る積層シート状製品は、複数のシートを積層してなる積層シート状製品であって、前記複数のシートのうちの２以上のシートの各々に、情報を記憶可能な記憶部および通信回路を含む非接触認識装置本体部とアンテナ配線とを含む非接触認識装置を備えるとともに、積層状態において前記非接触認識装置のうち１つの非接触認識装置以外の非接触認識装置のアンテナ配線を短絡させるアンテナ短絡手段を備えた。
【００１１】
本発明の積層シート状製品では、複数のシートを積層した積層シート状製品の２以上のシートに非接触認識装置（タグ）を設けるが、さらに当該タグのうち１つのタグ以外のタグのアンテナ配線を短絡させるアンテナ短絡手段を設ける。したがって、上記複数のタグのうち１つのタグとのみ通信を行ってデータの読み書きを行うことが出来る。また、アンテナ短絡手段によって短絡されていないタグが設けられたシートが積層シート状製品から外された場合には、他のいずれか１つのタグのアンテナの、アンテナ短絡手段による短絡を解除すれば、当該他の１つのタグとの通信を行うことが可能となる。
【００１２】
かかるアンテナ短絡手段は、例えば、隣接するシートに設けられかつシートの積層状態においてアンテナ配線に当接する導電体により構成することが出来る。この場合、導電体を設ける「隣接するシート」は、必ずしもタグが設けられたシートに限られず、タグを有しないシートであっても良い。
【００１３】
また上記導電体は、導電体線路でも、二次元的に（平面的に）広がりを持った導電体層でも構わない。導電体層により上記導電体を構成する場合には、シートを構成する基材の表面に例えばカーボンペースト等の導電性ペーストを塗布することにより、あるいは金属フィルム等の導電性フィルムを接着・溶着・圧着その他の方法により一体に配することにより形成することが出来る。さらに、当該導電体は、紙や樹脂等のシート基材に導電体を設けたものでも良いし、シート自体が導電体（例えばシート自体が金属シートである等）であっても良い。導電体の種類・材料は特に限定されない。例えばカーボンペースト、銅、アルミニウムその他の導電性材料により上記導電体を形成することが可能である。
【００１４】
一方、アンテナ配線はシートの上面側に設けられ、前記導電体は上側に隣接するシートの下面側に設けられていることが望ましい。
【００１５】
このような積層シート構造によれば、例えば伝票のような複数枚のシートを重ねた積層シート状製品の各シートにタグを付けて上層から順にシートを剥がしていく場合に、２層目以下のタグのアンテナが短絡され、常に最上層のタグとだけ通信を行うことが可能となる。
【００１６】
また上記積層シート状製品では、非接触認識装置が、前記非接触認識装置本体部と前記アンテナ配線とを電気的に接続しかつシート表面において間隔を隔てて延在する２本の線路部を有し、前記導電体が、前記積層状態において当該２本の線路部に跨り両線路部を電気的に接続するように配置されるように構成することが出来る。
【００１７】
この場合、当該２本の線路部は互いに平行であっても無くても良いが、両線路部の表面の高さを略同一に揃えることが望ましい。シートの積層状態において前記導電体により隣接するシートのアンテナをより確実に短絡させるためである。
【００１８】
本発明にいう非接触認識装置は、必ずしもリーダライタまたはリーダ（本願においてリーダライタと言った場合にはこの両者が含まれる）から電源を供給して読み書きを行う受動型タグに限られるものではなく、タグに電力供給源を有してリーダライタからの電力供給によらず動作する電源搭載型タグも含むものである。さらに、情報の読み出しと書き込みの両方が可能なタイプ、１回だけ書き込み可能な追記タイプ、あるいは、読み出しのみが可能なリード専用タイプのいずれのタイプのタグも本発明の非接触認識装置に含まれる。
【００１９】
また、本発明にいう積層シート状製品は、荷物の配送に使用される配送伝票のほか、例えば回数券等のチケット類や書類その他、複数枚のシートを重ねた状態で備える様々なシート状製品を含み、本発明はこれらに対し広く適用することが可能である。さらに、シートの種類、材質、形状、サイズ等についても特に限定はなく、例えば紙、樹脂フィルム、布、２種類以上の材料により形成された複合シート材その他、様々なシート材料であって良い。
【発明の効果】
【００２０】
本発明によれば、非接触認識装置を備える複数のシートを重ねた状態で有する積層シート状製品において所望の（特に最上層の）シートのタグのみに読み書きすることが可能となる。
【００２１】
本発明の他の目的、特徴および利点は、以下の本発明の実施の形態の説明により明らかにする。
【発明を実施するための最良の形態】
【００２２】
図１および図２は、本発明の一実施形態に係る積層シート状製品として宅配用の配送伝票を示すものである。これらの図に示すようにこの配送伝票１１は、上面（伝票表面）から下面（伝票裏面）に向け順に、依頼主控票１１ａ、窓口業者控票１１ｂ、配送業者控票１１ｃおよび配送先控票１１ｄの４枚の帳票を積層した状態で備え、これら各帳票１１ａ〜１１ｄを切り離し可能に一端部１２で一体に束ねたものである。
【００２３】
４枚の各帳票１１ａ〜１１ｄの表面には、略同位置にタグ１６ａ〜１６ｄを取り付けるためのタグ配置部１３ａ〜１３ｄを設けてあり、これらのタグ配置部１３ａ〜１３ｄにそれぞれ非接触認識装置（ＲＦＩＤ／タグ）１６ａ〜１６ｄを設けてある。尚、各帳票１１ａ〜１１ｄにおけるタグ配置部１３ａ〜１３ｄの形成位置は、図示の例のほかにも様々な位置であって良い。また、積層する帳票（シート）の枚数は、４枚に限られるものではなく、２枚、３枚または５枚以上であっても構わない。さらに、タグを有しない帳票が伝票１１に含まれていても良い。
【００２４】
図３は上記配送伝票１１におけるタグ配置部１３ａ〜１３ｄを拡大しかつ分解して示すものであり、図４は図３のＸ−Ｘ切断面の端面図、図５は図３のＹ−Ｙ切断面の端面図である。これらの図に示すように各帳票１１ａ〜１１ｄに設けたタグ１６ａ〜１６ｄは、ＩＣチップ１４ａ〜１４ｄと、アンテナ配線（以下、単にアンテナという）１５ａ〜１５ｄと、ＩＣチップ１４ａ〜１４ｄとアンテナ１５ａ〜１５ｄとをそれぞれ電気的に接続する２本の接続線路２５ａ〜２５ｄとを有する。
【００２５】
ＩＣチップ１４ａ〜１４ｄは、従来から知られたＲＦＩＤが有する機能を実現するための諸回路を内蔵している。具体的には、図７に示すように情報を記憶するデータ記憶部（メモリ）３７を有し、リーダライタと近接無線通信を行う通信回路として変調・復調回路３４、共振回路３５および制御部３８を備え、電源回路３３を有する。動作用の電力は、リーダライタからアンテナ１５ａ〜１５ｄを通じて電源回路３３に供給される。尚、本発明にいう非接触認識装置は、必ずしもリーダライタから電源を供給して読み書きを行う受動型タグに限られるものではなく、タグに電力供給源を有してリーダライタからの電力供給によらず動作する電源搭載型タグも含まれる。
【００２６】
ＩＣチップ１４ａ〜１４ｄとアンテナ１５ａ〜１５ｄとを電気的に接続する接続線路２５ａ〜２５ｄは、導電体（例えば銅線やアルミニウム線のような金属線路）により形成し、導電体表面を露出させてある。また、第２層以下の各接続線路２５ｂ〜２５ｄの上側に隣接する帳票１１ａ〜１１ｃの裏面には、各接続線路２５ｂ〜２５ｄに対向しかつ帳票を積層した場合に当該２本の接続線路２５ｂ〜２５ｄに跨って当接する短絡線路２６ａ〜２６ｃを設けてある。
【００２７】
尚、最上層の帳票１１ａの接続線路２５ａは、必ずしも第２層以下の接続線路２５ｂ〜２５ｄのような短絡可能な構造をとる必要はない。また、短絡線路２６ａ〜２６ｃによる短絡をより確実に行わせるため、上層帳票裏面の短絡線路の周囲部Ｓ１、または下層帳票表面の接続線路の周囲部Ｓ２に適当な係止手段（例えば剥離可能な接着剤や粘着剤を塗布する等）を設け、帳票間（特に短絡線路および接続線路の形成部）の密着性を高めるようにしても良い。かかる係止手段は、繰り返し接着・剥離が可能なタイプであっても、一度剥離すると再び接着できないタイプのものであっても良く、さらにシート（帳票）の一部（特に接続線路ないし短絡線路の周囲部）だけでなく、シートの略全面に配されてシート同士が剥離可能に接着されているような態様とすることも可能である。
【００２８】
本実施形態に係る伝票１１は、上記のような構造を有するから、各帳票１１ａ〜１１ｄの積層状態においては、最上層の帳票１１ａの裏面に設けた短絡線路２６ａが、第２層の帳票１１ｂに設けたタグ１６ｂの接続線路２５ｂに当接してこれを短絡させ、当該タグ１６ｂのアンテナ機能を喪失させる。同様に、第２層の帳票１１ｂの裏面に設けた短絡線路２６ｂが第３層の帳票１１ｃに設けたタグ１６ｃの接続線路２５ｃに当接してこれを短絡させ、さらに第３層の帳票１１ｃの裏面に設けた短絡線路２６ｃが最下層の帳票１１ｄに設けたタグ１６ｄの接続線路２５ｄに当接してこれを短絡させる。これにより、第２層以下の各帳票１１ｂ〜１１ｄのタグ１６ｂ〜１６ｄのアンテナ機能が喪失されて最上層のタグ１６ａとのみ通信を行うことが可能となる。
【００２９】
一方、最上層の帳票１１ａを剥がした場合には、その裏面に設けた短絡線路２６ａが当該帳票１１ａと一緒に剥がされ、第２層の接続線路２５ｂの短絡が解除されるから、第２層のタグ１６ｂとの通信が可能となる。尚、このとき第３層および最下層のアンテナ１５ｃ，１５ｄは、第２層および第３層の帳票裏面に設けた短絡線路２６ｂ，２６ｃによって依然として短絡されているから、当該第３層および最下層のタグ１６ｃ，１６ｄとの通信は遮断される。同様にして第３層および最下層のタグ１６ｃ，１６ｄについても、各帳票１１ｂ，１１ｃを剥がしていくにつれ順次通信を行うことが出来る。
【００３０】
したがって、本実施形態の配送伝票１１によれば、宅配荷物の配送過程で各帳票１１ａ〜１１ｄに固有の情報を読み書きして時系列的にきめ細かな配送管理を行うことが出来る。また、配送過程で帳票１１ａ〜１１ｄのいずれかが離れてしまった場合にも、各帳票１１ａ〜１１ｄがタグ１６ａ〜１６ｄを備えているから、これらのタグ１６ａ〜１６ｄにデータを格納しておくことにより電子データを利用することが可能となる。
【００３１】
上記実施形態では、各帳票１１ａ〜１１ｄに設けられるタグ１６ａ〜１６ｄを略同位置に配置したが、図６に示すようにタグ１６ａ〜１６ｄを異なる領域に位置するようにずらして配置しても良い。この場合、短絡線路２６ａ〜２６ｃによる接続線路２５ｂ〜２５ｄの短絡を可能とするため、下層帳票のタグ１６ｂ〜１６ｄ（接続線路２５ｂ〜２５ｄ）の配置位置に合わせて（下層帳票の接続線路２５ｂ〜２５ｄにそれぞれ対向するように）上層帳票１１ａ〜１１ｃの裏面に短絡線路２６ａ〜２６ｃを設ける。
【００３２】
以上、本発明の実施の形態について説明したが、本発明はこれらに限定されるものではなく、特許請求の範囲に記載の範囲内で種々の変更を行うことができることは当業者に明らかである。
【図面の簡単な説明】
【００３３】
【図１】本発明の一実施形態に係る積層シート状製品（宅配用の配送伝票）を示す斜視図である。
【図２】前記実施形態の配送伝票を各帳票に分離して示す分解斜視図である。
【図３】前記実施形態の配送伝票におけるタグ配置部を拡大して模式的に示す分解斜視図である。
【図４】図３のＸ−Ｘ切断面の端面図である。
【図５】図３のＹ−Ｙ切断面の端面図である。
【図６】前記実施形態に係る配送伝票の別の構成例を示す分解斜視図である。
【図７】前記実施形態の配送伝票が備えるタグの構成例を示すブロック図である。
【符号の説明】
【００３４】
１１  配送伝票
１１ａ  依頼主控票
１１ｂ  窓口業者控票
１１ｃ  配送業者控票
１１ｄ  配送先控票
１３ａ，１３ｂ，１３ｃ，１３ｄ  タグ配置部
１４ａ，１４ｂ，１４ｃ，１４ｄ  ＩＣチップ
１５ａ，１５ｂ，１５ｃ，１５ｄ  アンテナ
１６ａ，１６ｂ，１６ｃ，１６ｄ  タグ（ＲＦＩＤ）
２５ａ，２５ｂ，２５ｃ，２５ｄ  接続線路
２６ａ，２６ｂ，２６ｃ  短絡線路（アンテナ短絡手段）
３３  電源回路
３４  変調・復調回路
３５  共振回路
３７  データ記憶部
３８  制御部
【図１】
2006185372.tif 000003
【図２】
2006185372.tif 000004
【図３】
2006185372.tif 000005
【図４】
2006185372.tif 000006
【図５】
2006185372.tif 000007
【図６】
2006185372.tif 000008
【図７】
2006185372.tif 000009